(57)【要約】【課題】障害者や子供でも差込プラグを引き抜き易くする。障害者や子供がつまずくおそれがあるハウジング外側のコードをなくす。【解決手段】ハウジングに差込孔８を貫通し、ハウジングの内側に雌型接触片６を設け、ハウジングの外側に、雌型接触片６と接続した雄型接触片５を突出し、ハウジングの内側に押出棒１３を差込プラグの差し込み方向に沿って移動可能に設け、押出棒１３の端をハウジングの外側に突出可能にし、ハウジングの内側に、押出棒１３を移動させる梃子１８と、梃子１８を操作する操作棒１６を設け、操作棒１６の端をハウジングの外側に突出した接続器。操作棒１６の端を押して押出棒１３の端をハウジングの外側に突出すると、差込孔８に差し込まれた差込プラグが押出棒１３で押されて抜け出る。【選択図】　図１
0003096948.tif 000002
【実用新案登録請求の範囲】
【請求項１】
ハウジングに、差込プラグの雄型接触片を差し込む差込孔を貫通し、ハウジングの内側に、差込プラグの雄型接触片を挟む雌型接触片を設け、ハウジングの外側に、ハウジング内側の雌型接触片と接続した雄型接触片を突出し、
ハウジングの内側に押出棒を差込プラグの差し込み方向に沿って移動可能に設け、押出棒の端をハウジングの外側に突出可能にし、ハウジングの内側に、押出棒を移動させる梃子と、梃子を操作する操作棒を設け、操作棒の端をハウジングの外側に突出し、
ハウジングの外側に突出した操作棒の端を押して押出棒の端をハウジングの外側に突出すると、差込孔に差し込まれた差込プラグが押出棒で押されて雌型接触片と差込孔から抜け出る構成にしたことを特徴とする接続器。
【請求項２】
ハウジングに、差込プラグの１対の雄型接触片を差し込む１対の差込孔を貫通し、ハウジングの内側に、差込プラグの１対の雄型接触片を挟む１対の雌型接触片を設け、ハウジングの差込プラグ差し込み側と反対側の外側に、ハウジング内側の１対の雌型接触片と接続した１対の雄型接触片を突出し、
ハウジングの内側に押出棒を１対の雌型接触片間の中点位置を差込プラグの差し込み方向に沿って移動可能に設け、押出棒の端を１対の差込孔間の中点位置からハウジングの外側に突出可能にし、ハウジングの内側に、押出棒を移動させる梃子と、梃子を操作する操作棒を設け、操作棒の端をハウジングの外側に突出し、操作棒の端を操作する方向を雄型接触片の突出方向と同じにし、
ハウジングの外側に突出した操作棒の端を押して押出棒の端をハウジングの外側に突出すると、差込孔に差し込まれた差込プラグが押出棒で押されて雌型接触片と差込孔から抜け出る構成にしたことを特徴とする接続器。
【考案の詳細な説明】
【０００１】
【考案の属する技術分野】
本考案は、電気器具とその電源との間に使用する接続器において、電気器具側の差込プラグを引き抜き易くする技術に関する。
【０００２】
【従来の技術】
家庭用電気器具にコードで接続した差込プラグは、ハウジングの前側に１対の雄型接触片を突出し、ハウジングの内側に、１対の雄型接触片に接続する１対のビスを設け、１対のビスにコードの１対の電線を接続し、コードをハウジングの外側に引き出している。
【０００３】
家屋の壁に埋設した単相低圧電源の壁コンセントは、前面に１対の差込孔を開口し、差込孔の内側位置に１対の雌型接触片を電源に接続して設けている。
【０００４】
壁コンセントの差込孔に、家庭用電気器具の差込プラグの雄型接触片を差し込むと、差込プラグのハウジングの前面が壁コンセントの前面に当って重なる一方、差込プラグの雄型接触片は、壁コンセント内側の雌型接触片に挟み込まれて電源に接続する。
【０００５】
特許文献１〜３に開示されたコンセントは、延長コードに接続した可動式のコンセントであり、その差込孔に差し込まれた差込プラグを引き抜き易くするため、梃子機構を設けている。差込孔に差し込まれた差込プラグを押し出す押出棒を設け、押出棒を持ち上げる梃子を設け、梃子を操作する操作部を設けている。操作部を片手の指で押すと、押出棒が持ち上げられて差込プラグを差込孔から押し出す。
【０００６】
【特許文献１】
実開昭５９−３４８１号公報
【特許文献２】
実開昭５９−１０９０７９号公報
【特許文献３】
登録実用新案第３０４１３５１号公報
【０００７】
【考案が解決しようとする課題】
ところが、特許文献１〜３に開示のコンセントは、障害者や子供でも差込プラグを引き抜き易いが、延長コードのコンセントであるので、電気器具の位置と壁コンセントの位置が近くて延長コードが不必要な所で使用すると、不必要な延長コードに障害者や子供がつまずくおそれがあり、危険である。
【０００８】
【課題を解決するための手段】
１）ハウジングに、差込プラグの雄型接触片を差し込む差込孔を貫通し、ハウジングの内側に、差込プラグの雄型接触片を挟む雌型接触片を設け、ハウジングの外側に、ハウジング内側の雌型接触片と接続した雄型接触片を突出し、
ハウジングの内側に押出棒を差込プラグの差し込み方向に沿って移動可能に設け、押出棒の端をハウジングの外側に突出可能にし、ハウジングの内側に、押出棒を移動させる梃子と、梃子を操作する操作棒を設け、操作棒の端をハウジングの外側に突出し、
ハウジングの外側に突出した操作棒の端を押して押出棒の端をハウジングの外側に突出すると、差込孔に差し込まれた差込プラグが押出棒で押されて雌型接触片と差込孔から抜け出る構成にしたことを特徴とする接続器。
【０００９】
２）ハウジングに、差込プラグの１対の雄型接触片を差し込む１対の差込孔を貫通し、ハウジングの内側に、差込プラグの１対の雄型接触片を挟む１対の雌型接触片を設け、ハウジングの差込プラグ差し込み側と反対側の外側に、ハウジング内側の１対の雌型接触片と接続した１対の雄型接触片を突出し、
ハウジングの内側に押出棒を１対の雌型接触片間の中点位置を差込プラグの差し込み方向に沿って移動可能に設け、押出棒の端を１対の差込孔間の中点位置からハウジングの外側に突出可能にし、ハウジングの内側に、押出棒を移動させる梃子と、梃子を操作する操作棒を設け、操作棒の端をハウジングの外側に突出し、操作棒の端を操作する方向を雄型接触片の突出方向と同じにし、
ハウジングの外側に突出した操作棒の端を押して押出棒の端をハウジングの外側に突出すると、差込孔に差し込まれた差込プラグが押出棒で押されて雌型接触片と差込孔から抜け出る構成にしたことを特徴とする接続器。
【００１０】
【考案の効果】
本考案の接続器は、ハウジングの外側に突出した雄型接触片を電源側のコンセント、例えば壁コンセントに差し込み、ハウジングに貫通した差込孔とハウジング内側の雌型接触片に電気器具、例えばテレビ受像機や電熱ヒータ側の差込プラグを差し込む。すると、電気器具は、ハウジング内側の雌型接触片とハウジング外側の雄型接触片を経て電源側のコンセントに接続する。
【００１１】
電気器具側の差込プラグを引き抜くときには、ハウジングの外側に突出した操作棒の端を片手の指で押す。すると、押出棒の端がハウジングの外側に突出する。電気器具側の差込プラグは、押出棒で押されて雌型接触片と差込孔から抜け出る。電気器具は、電源側コンセントとの接続が遮断される。
【００１２】
本考案の接続器は、障害者や子供でも差込プラグを引き抜き易い上、ハウジングの外側にコードがないので、コードに障害者や子供がつまずくおそれがない。危険ではない。
【００１３】
【考案の実施の形態】
実施形態の接続器は、図１〜図４に示すように、１対の雄型接触片５と１対の雌型接触片６を備えている。家庭用の単相低圧電源、交流１００Ｖの電源側のコンセントと家庭用の電気器具、例えばテレビ受像機や電熱ヒータ側の差込プラグとの間に使用する。
【００１４】
この接続器は、下側ハウジング１と上側ハウジング２とをネジ３で結合して、幅広背高部と幅狭背低部からなる箱構造を構成している。下側ハウジング１と上側ハウジング２は、電気絶縁性合成樹脂の成形品である。
【００１５】
ハウジング１、２は、図２と図３に示すように、幅広背高部の左右に、それぞれ、金属板の導電部材４を上下方向に沿って設けている。左右の導電部材４は、それぞれ、下端に雄型接触片５の基端をリベットで固定し、帯状金属板の雄型接触片５を直線状に連結している。左右の雄型接触片５は、それぞれ、上下方向に沿って配置し、下側ハウジング１の幅広背高部を貫通している。左右の導電部材４の下端と左右の雄型接触片５の固定用基端側部分は、下側ハウジング１の幅広背高部に埋没している。両雄型接触片５の接触用刃部分は、左右に並列し、それぞれ、左右方向と直交して配置し、下側ハウジング１の幅広背高部の下側に突出している。左右の雄型接触片５には、それぞれ、左右の導電部材４の下端が電気的に接続している。
【００１６】
左右の導電部材４の上端側部分は、殻構造の上側ハウジング２の幅広背高部内に突出している。導電部材４の上端は、図１〜図３に示すように、左右からそれぞれ接触片６を折り曲げている。左右の両接触片６は、近接して並列し、かつ、左右方向と直交して配置し、雌型接触片の刃受け部分にしている。この雌型接触片６の刃受け部分は、差込プラグの雄型接触片が挟み込まれる部分であり、上側ハウジング２の幅広背高部の上側壁と対面する上側が入口になり、入口側に２枚の案内片７を外開き状に突出している。左右の両案内片７、左右の両接触片６と導電部材４は、一連に連結した金属板である。雌型接触片６と雄型接触片５は、電気的に接続している。ハウジング１、２の幅広背高部の内側には、１対の雌型接触片６が左右に並列して設けられている。
【００１７】
上側ハウジング２の幅広背高部の上側壁には、１対の差込孔８を、１対の雌型接触片６と対面する左右位置に、上下方向に貫通している。１対の差込孔８は、縦長長方形状であり、その長手方向を前後方向に沿って配置している。１対の差込孔８にハウジング１、２の上方位置から下向きに差込プラグの一対の雄型接触片を差し込むと、差込孔８を通過した差込プラグの各雄型接触片の先端側が各雌型接触片６に挟み込まれる。
【００１８】
下側ハウジング１の幅広背高部には、図３と図４に示すように、左右１対の導電部材４、雌型接触片６間の中点位置に有底の下側案内孔１１を上下方向に沿って設けている。上側ハウジング２の幅広背高部の上側壁には、下側案内孔１１と対面する位置、左右１対の差込孔８間の中点位置に、上側案内孔１２を上下方向に貫通している。下側案内孔１１には、押出棒１３の下部を嵌合し、押出棒１３の上端を上側案内孔１２に挿入している。押出棒１３は、１対の雌型接触片６間の中点位置を上下方向、差込プラグの差し込み方向に沿って移動可能である。押出棒１３の上端は、図５と図６に示すように、上側案内孔１２から上側ハウジング２の幅広背高部の上側に突出可能である。
【００１９】
下側ハウジング１の幅狭背低部には、図２と図４に示すように、有底の下側案内孔１４を上下方向に沿って設けている。上側ハウジング２の幅狭背低部の上側壁には、下側案内孔１４と対面する位置に、上側案内孔１５を上下方向に貫通している。上側案内孔１５には、操作棒１６を上下方向に沿って貫通している。操作棒１６の上端は、上側ハウジング２の幅狭背低部の上側に突出している。ハウジング１、２の幅狭背低部の内側に突出した操作棒１６の下端と下側案内孔１４の底の間には、螺旋バネ１７を嵌め込んでいる。螺旋バネ１７に抗して操作棒１６を下降すると、図６に示すように、操作棒１６の下端が下側案内孔１４に挿入する。
【００２０】
押出棒１３と操作棒１６は、前後に位置して並列し、それらの間に梃子１８を前後方向に沿って配置し、梃子１８の左右に突出した支軸１９をハウジング１、２の幅狭背低部の間に形成した左右の軸受に嵌合している。梃子１８の前端は、押出棒１３の側面に形成した凹部に嵌め込み、梃子１８前端の上下動により押出棒１３を昇降する構成にしている。梃子１８の後端は、操作棒１６の側面に形成した凹部に嵌め込み、操作棒１６の上下動により梃子１８の後端を昇降する構成にしている。操作棒１６を螺旋バネ１７に抗して下降すると、図５と図６に示すように、押出棒１３が上昇して押出棒１３の上端が上側ハウジング２の上側に突出する。操作棒１６が螺旋バネ１７の弾性力で上昇すると、押出棒１３が下降して押出棒１３の上端が上側案内孔１２に没入する。
【００２１】
押出棒１３を上下に移動させる梃子１８とその支軸１９、梃子１８を操作する操作棒１６は、電気絶縁性合成樹脂の成形品である。
【００２２】
この接続器を使用する場合、図７に示すように、家屋の壁に埋設した単相低圧電源の壁コンセント２１の差込孔に、ハウジング１、２の外側に突出する１対の雄型接触片５を差し込む。ハウジング１、２の背面が壁コンセントの前面に当って重なる一方、雄型接触片５は、壁コンセント２１内側の雌型接触片に挟み込まれて電源に接続する。次に、ハウジング１、２の正面に開口する１対の差込孔８に、家庭用電気器具のコード先端に接続した差込プラグ２２の１対の雄型接触片２３を差し込む。
【００２３】
すると、差込プラグ２２のハウジング２４の前面がハウジング１、２の前面に当って重なる一方、差込プラグ２２のハウジング２４の前側に突出する雄型接触片２３は、ハウジング１、２内側の雌型接触片６に挟み込まれて電気的に接続する。家庭用電気器具の差込プラグ２２は、ハウジング１、２内側の雌型接触片６とハウジング１、２外側の雄型接触片５を介して単相低圧電源に接続する。
【００２４】
ハウジング１、２は、差込孔８の開口側、差込プラグ２２の差し込み側が雄型接触片５突出側と反対側であるので、差込プラグ２２を差し込む力が、雄型接触片５を壁コンセント２１に差し込む力にもなる。差込プラグ２２の差し込みによって雄型接触片５が壁コンセント２１から抜け出るおそれがない。
【００２５】
家庭用電気器具の差込プラグ２２を引き抜くときには、ハウジング１、２の正面に突出する操作棒１６の端を片手の指で押し、図８に示すように、操作棒１６を螺旋バネ１７に抗してハウジング１、２内に押し込む。
【００２６】
すると、図５と図８に示すように、押出棒１３は、その端がハウジング１、２の前面からその外側に突出し、差込プラグ２２のハウジング２４の前面に当ってその前面における１対の雄型接触片２３の中点位置を押す。差込プラグ２２は、押出棒１３で押されて後退し、１対の雄型接触片２３がハウジング１、２内側の雌型接触片６とハウジング１、２前面の差込孔８から抜け出る。家庭用電気器具の差込プラグ２２は、単相低圧電源との接続が遮断される。
【００２７】
ハウジング１、２は、操作棒１６の押し込み操作方向が雄型接触片５の突出方向と同じであるので、操作棒１６を押し込む操作力が、雄型接触片５を壁コンセント２１に差し込む力にもなる。操作棒１６の押し込み操作によって雄型接触片５が壁コンセント２１から抜け出るおそれがない。
【００２８】
差込プラグ２２は、ハウジング２４の前面における１対の雄型接触片２３の中点位置を押出棒１３で後退方向に押されるので、こじられず、円滑に後退して抜け出る。
【図面の簡単な説明】
【図１】本考案の実施形態における接続器の一部破断平面図。
【図２】同接続器の上側ハウジングを取り外した状態の平面図。
【図３】図１のＡ−Ａ線断面図。
【図４】図１のＢ−Ｂ線断面図。
【図５】同接続器の押出棒を突き出した状態の図で、図３と同じ断面図。
【図６】同接続器の押出棒を突き出した状態の図で、図４と同じ断面図。
【図７】同接続器の雄型接触片を壁コンセントに差し込んで同接続器の差込孔に差込プラグを差し込んだ状態の図で、図４と同じ断面図。
【図８】同接続器の押出棒を突き出して差込プラグを抜き出した状態の図で、図７と同じ断面図。
【符号の説明】
１　下側ハウジング
２　上側ハウジング
３　ネジ
４　導電部材
５　雄型接触片
６　接触片、雌型接触片
７　案内片
８　差込孔
１１　下側案内孔
１２　上側案内孔
１３　押出棒
１４　下側案内孔
１５　上側案内孔
１６　操作棒
１７　螺旋バネ
１８　梃子
１９　梃子の支軸
２１　単相低圧電源の壁コンセント
２２　家庭用電気器具の差込プラグ
２３　差込プラグの雄型接触片
２４　差込プラグのハウジング
【図１】
0003096948.tif 000003
【図２】
0003096948.tif 000004
【図３】
0003096948.tif 000005
【図４】
0003096948.tif 000006
【図５】
0003096948.tif 000007
【図６】
0003096948.tif 000008
【図７】
0003096948.tif 000009
【図８】
0003096948.tif 000010